(57)【要約】【課題】通信機能付き撮像装置に、撮影画像を、メールに添付して送信するサービス機能や、サーバへアップロードするサービス機能がある場合、メモリに保存された撮影画像がどのサービスに使用されたものかはわからない。【解決手段】制御部２０６は、撮像部２０２によって撮影された画像を通信部２０９によって所定の送信先へ送信する場合、その画像を、その送信先および送信方法に応じた画像記憶部２０７の領域に格納する。【選択図】    図２
2005045397.tif 000002
【特許請求の範囲】
【請求項１】
画像を撮影する撮像手段と、
撮影画像を通信網を経由して所定の送信先へ送信する通信手段と、
撮影画像を、その送信に応じたメモリの領域に格納する制御手段とを有することを特徴とする撮像装置。
【請求項２】
さらに、前記撮影画像の送信先および送信方法を設定する通信設定手段を有することを特徴とする請求項１に記載された撮像装置。
【請求項３】
さらに、前記撮像手段による画像の撮影方法を設定する撮影設定手段を有することを特徴とする請求項１に記載された撮像装置。
【請求項４】
さらに、前記撮影方法に応じた、前記撮影画像の送信先および送信方法を設定する通信設定手段を有することを特徴とする請求項３に記載された撮像装置。
【請求項５】
前記送信先にはメールアドレスおよびサーバが含まれ、前記送信方法にはメール送信およびアップロードが含まれることを特徴とする請求項１から請求項４の何れかに記載された撮像装置。
【請求項６】
前記制御手段は、前記撮影画像が送信されるか否か、その送信先、および、その送信方法に応じた前記メモリの領域に格納することを特徴とする請求項１に記載された撮像装置。
【請求項７】
前記制御手段は、前記撮影画像の送信先が複数ある場合、主要な送信先に対応した前記メモリに領域に前記撮影画像を格納し、格納した撮影画像のリンク情報を、前記主要な送信先以外に対応した前記メモリの領域に格納することを特徴とする請求項１に記載された撮像装置。
【請求項８】
画像を撮影し、撮影画像を通信網を経由して所定の送信先へ送信する機能を有する撮像装置の制御方法であって、
撮影画像を、その送信に応じたメモリの領域に格納することを特徴とする制御方法。
【請求項９】
請求項８に記載された制御を撮像装置に実行させることを特徴とするプログラム。
【請求項１０】
請求項９に記載されたプログラムが記録されたことを特徴とする記録媒体。
【発明の詳細な説明】
【０００１】
【発明の属する技術分野】
本発明は撮像装置およびその制御方法に関し、例えば、通信機能を有する撮像装置に関する。
【０００２】
【従来の技術】
通信機能付き撮像装置を利用すれば、撮影した画像をメモリへ保存し、通信網を経由してあて先へ画像を送信することができる。撮影画像を保存する際、メモリに複数の領域、例えば、撮影日付ごとのディレクトリを作成して保存することができる。データの作成日ごとにディレクトリを作成してデータを保存する例として、特開２００１−０５１８７７公報に提案されている技術がある。また、撮影日付ごとにディレクトリを作成して撮影画像を保存する例としては、特開２００１−０５４０４１公報で提案されている技術がある。
【０００３】
通信機能付き撮像装置に、撮影画像をメールに添付して送信するサービス機能、および、撮影画像をサーバへアップロードするサービス機能がある場合、メモリに保存された撮影画像がどのサービスに使用されたものかはわからない。そのため、例えば、サーバへアップロードした撮影画像を編集・削除し、メールに添付して送信した撮影画像は原画像を編集・削除せずに残しておく、というようなサービス機能ごとに撮影画像を操作することはできない。
【０００４】
【特許文献】
特開２００１−０５１８７７公報、特開２００１−０５４０４１公報
【０００５】
【発明が解決しようとする課題】
本発明は、上述の問題を個々にまたはまとめて解決するもので、撮影画像の送信状態がわかるようにすることを目的とする。
【０００６】
【課題を解決するための手段】
本発明は、前記の目的を達成する一手段として、以下の構成を備える。
【０００７】
本発明は、画像を撮影し、撮影画像を通信網を経由して所定の送信先へ送信する機能を有する撮像装置において、撮影画像を、その送信に応じたメモリの領域に格納することを特徴とする。
【０００８】
【発明の実施の形態】
以下、本発明にかかる実施形態の通信機能付き撮像装置を図面を参照して詳細に説明する。
【０００９】
【第１実施形態】
［構成］
図１は通信機能付き雲台に相当するクレードル１、および、クレードル１に接続するカメラユニット２によって構成される撮像装置を使用する通信システムの構成例を示すブロック図である。
【００１０】
撮像装置によって撮影された画像は、通信網３を経由して、メール端末４へメールに添付されて送信（以下「メール送信」と呼ぶ）されたり、サーバ５へアップロードされたりする。
【００１１】
図２は通信機能付き雲台に相当するクレードル１と、クレードル１に接続するカメラユニット２により構成される撮像装置の機能構成例を示すブロック図である。
【００１２】
撮像装置の設定記憶部２０１は、撮像装置の制御プログラムなどが使用する設定値を格納する記憶領域で、例えばバッテリバックアップされたＲＡＭなどである。撮像部２０２は、撮像装置のカメラユニットに相当し、画像を撮影する。センサ入力部２０３は、画像撮影のトリガになるセンサが接続され、センサがオンになるとその情報が制御部２０５へ伝達される。ＲＡＭ  ２０４は、一時的な記憶領域で、制御プログラムによって使用され、撮像部２０２で撮影された画像が一時記憶される。
【００１３】
制御部２０５は、撮像装置の制御アルゴリズムを格納したＲＯＭ、制御プログラムを実行するＣＰＵなどからなり、設定記憶部２０１、撮像部２０２、センサ入力部２０３、ＲＡＭ  ２０４、ユーザインタフェイス２０６、記憶制御部２０８、通信部２０９などを制御する。
【００１４】
ユーザインタフェイス２０６は、ユーザが設定値を入力するためのインタフェイスを提供し、ユーザのマニュアル操作による画像撮影の指示を受け付ける。画像記憶部２０７は、記憶制御部２０８に接続され、撮影画像データを記憶する。記憶制御部２０８は、制御部２０５の指示に従い、撮影画像データなどを画像記憶部２０７へ記憶させたり、画像記憶部２０７に保存した撮影画像データなどを読み出したりする。通信部２０９は、制御部２０５の指示に従い、通信網３を経由してメール端末４やサーバ５と接続し、撮影画像データを送信する。
【００１５】
図３は画像記憶部２０７の構成例を示すブロック図である。
【００１６】
第一の例２０７ａは、画像記憶部２０７が撮像装置の内蔵メモリとして構成された例で、制御部２０５の指示により、記憶制御部２０８から入力される撮影画像データがメモリに記憶される。メモリの種類としては、不揮発性のフラッシュメモリ（Ｒ）、ハードディスクドライブ、書き換え可能な光ディスクドライブなどである。
【００１７】
第二の例２０７ｂは、メモリカードとして構成された例である。メモリカードは、撮像装置に着脱可能な記憶媒体で、メモリカードインタフェイスを経由して記憶制御部２０８に接続される。記憶制御部２０８は、メモリカードの着脱を検出し、制御部２０５の指示に従い、撮影画像データを装着されたメモリカードに記憶させる。
【００１８】
図４は通信部２０９の構成例を示すブロック図である。
【００１９】
第一の例２０９ａは、通信制御部と通信インタフェイスからなる構成で、通信インタフェイスを介して接続された通信網３経由の通信が、通信制御部によって制御される。
【００２０】
第二の例２０９ｂは、カードインタフェイスと通信カードからなる構成で、通信カードを着脱することで、撮像装置の通信機能を有効無効にすることができる。通信カードには、第一の例２０９ａの通信制御部と通信インタフェイスに相当する機能が実装されている。一例として、コンパクトフラッシュ（Ｒ）カード（ＣＦカード）インタフェイスと、ＣＦカード型のＰＨＳカードの組み合わせが挙げられる。
【００２１】
実施形態は、通信媒体を限定するものではなく、アナログ、ＩＳＤＮ、ＬＡＮなどの有線回線や、無線ＬＡＮ、ＰＤＣ、ＰＨＳ、ＩＭＴ−２０００などの無線回線、その他、今後標準化される通信規格に準拠した通信媒体が使用可能である。
【００２２】
［設定データ］
図５から図８は設定記憶部２０１に記憶される設定データの例を示す図である。設定データは設定項目と設定値からなり、設定データには「手動撮影設定」「時刻撮影設定」「センサ撮影設定」「メール配信設定」「アップロード設定」などがある。
【００２３】
図５は「手動撮影設定」の設定データ例を示す図である。設定項目として「動作」「撮影画像」「メール配信先」「メール配信先個別設定」などがある。「動作」の設定値には（撮影（メモリ保存）のみ｜メール配信｜アップロード）の何れかが、「撮影画像」の設定値には（静止画｜動画）の何れかが、「メール配信先」の設定値には（メール配信設定の配信先｜マスタアドレス｜個別設定）の何れかが、それぞれ設定される。なお、「メール配信設定の配信先」「マスタアドレス」については後述する。「メール配信先個別設定」は、メール配信先の設定値が個別設定の場合に有効になり、メールの配信先にする一つまたは複数のメールアドレスを設定することができる。
【００２４】
図６は「時刻撮影設定」の設定データ例を示す図である。設定項目として「自動撮影条件」「撮影時刻」「撮影間隔」「動作」「撮影画像」「動画像撮影終了条件」「メール配信先」「メール配信先個別設定」などがある。「自動撮影条件」の設定値には（なし｜定時刻｜一定間隔）の何れかが設定される。「撮影時刻」は、自動撮影条件が定時刻の場合に、撮影時刻の時：分：秒が設定される。「撮影間隔」は、自動撮影条件が一定間隔の場合に、撮影間隔の時：分：秒が設定される。「動作」の設定値には（撮影（メモリ保存）のみ｜メール配信｜アップロード）の何れかが、「撮影画像」の設定値には（静止画｜動画）の何れかが、それぞれ設定される。「動画像撮影終了条件」は、撮影画像の設定値が動画の場合に有効になり、動画像撮影開始から終了までの時間経過として分：秒が設定される。「メール配信先」の設定値には（メール配信設定の配信先｜マスタアドレス｜個別設定）の何れかが設定される。なお、「メール配信設定の配信先」「マスタアドレス」については後述する。「メール配信先個別設定」は、メール配信先の設定値が個別設定の場合に有効になり、メールの配信先にする一つまたは複数のメールアドレスを設定することができる。
【００２５】
図７は「センサ撮影設定」の設定データを示す図である。設定項目として「設定」「動作」「撮影画像」「動画像撮影終了条件」「メール配信先」「メール配信先個別設定」などがある。「設定」の設定値には（なし｜あり）の何れかが、「動作」の設定値には（撮影（メモリ保存）のみ｜メール配信｜アップロード）の何れかが、「撮影画像」の設定値には（静止画｜動画）の何れかが、それぞれ設定される。「動画像撮影終了条件」は、撮影画像の設定値が動画の場合に有効になり、動画像撮影開始から終了までの時間経過として分：秒が、あるいは、センサがオフになるときに撮影を終了する「センサオフ」が設定される。「メール配信先」の設定値には（メール配信設定の配信先｜マスタアドレス｜個別設定）の何れかが設定される。「メール配信設定の配信先」「マスタアドレス」については後述する。「メール配信先個別設定」は、メール配信先の設定値が個別設定の場合に有効になり、メールの配信先にする一つまたは複数のメールアドレスを設定することができる。
【００２６】
図８は「メール配信設定」および「アップロード設定」の設定データを示す図である。「メール配信設定」の設定項目として「サーバ名」「送信元」「配信先」「マスタアドレス」などがある。「サーバ名」にはメールを送信するときの送信サーバ名が、「送信元」には送信元メールアドレスが、「配信先」には配信先メールアドレスが、それぞれ設定される。
【００２７】
「マスタアドレス」は、特定のメールアドレスとしてユーザが設定するもので、「手動撮影設定」「時刻撮影設定」および「センサ撮影設定」における「メール配信先」の設定値として設定することができる。マスタアドレスの例としては、撮像装置のユーザ自身のメールアドレスや、撮像装置を使用するシステムの管理者のメールアドレスが挙られる。
【００２８】
一方、「アップロード設定」の設定項目として「ホスト名」「ユーザ名」「パスワード」などがある。「ホスト名」にはアップロード先のファイル転送サーバになるホストのホスト名が、「ユーザ名」および「パスワード」にはアップロード先のファイル転送サーバへログインする際のユーザ名およびパスワードが、それぞれ設定される。
【００２９】
［設定データ］
ユーザは、図９から図１１を参照して説明するユーザインタフェイスを使用して、上記の設定データを予め設定する。
【００３０】
図９は撮像装置のユーザインタフェイス２０６の一例を示す図である。表示部９０１は、設定データを設定記憶部２０１へ設定する際の入力画面をユーザへ提供する。選択キー９０２は、ユーザが設定データを入力する際の設定データ、設定項目、設定値の選択に使用する。設定キー９０３は、ユーザが設定データの入力を開始するとき、設定データ、設定項目、設定値の選択を確定するとき、および、設定項目に対する設定入力を確定するときに使用する。数字／英字・記号切替キー９０４は、ユーザが数字・英字・記号入力キー９０６を使用して文字入力をする際に、数字入力と英字・記号入力を切り替えるのに使用する。撮影キー９０５は、ユーザが手動撮影で画像を撮影するときに使用する。また、手動撮影で動画像を撮影する場合は、撮影キー９０５を押すと撮影を開始し、もう一度、撮影キー９０５を押すと撮影が終了する。数字・英字・記号の入力キー９０６は、ユーザが数字、英字または記号の入力に使用する。
【００３１】
図１０はユーザインタフェイス２０６によって設定データの設定値を入力する際の表示部９０１の表示例を示す図である。
【００３２】
ユーザが設定キー９０３を押すと設定データの入力が開始され、トップメニューとして設定データの選択用の表示画面が現れる。まず、「手動撮影設定」１００１が表示され、ユーザが選択キー９０２を押すと「時刻撮影設定」１００２に切り替わり、選択キー９０２を押すと、順次、「センサ撮影設定」１００３、「メール配信設定」１００４、「アップロード設定」１００５に切り替わり、さらに選択キー９０２を押すと最初の「手動撮影設定」１００１に戻る。
【００３３】
ユーザが入力したい設定データに対応する表示画面が表示されているところで設定キー９０３を押すと、ユーザインタフェイス２０６は、選択された設定データの設定値を入力するためのサブメニューへ遷移する。
【００３４】
図１１はユーザインタフェイス２０６によって設定データであるセンサ撮影設定の設定値を入力する際の表示部９０１の表示例を示す図である。
【００３５】
まず、センサ撮影設定用の「設定」１１０１が表示される。ユーザは（１．  なし｜２．あり）を選択キー９０２または入力キー９０６によって選択し、選択結果を設定キー９０３によって設定する。
【００３６】
続いて、センサ撮影設定用の「動作」１１０２、「撮影画像」１１０３が順次表示され、ユーザは所望する設定を選択キー９０２または入力キー９０６によって選択し、選択結果を設定キー９０３によって設定する。
【００３７】
「撮影画像」１１０３で動画が設定されると、「動画像撮影終了条件」１１０４が表示され、「動画像撮影終了条件」１１０４で時間経過が設定されると、「動画像撮影終了条件（時間経過）」１１０５が表示され、分：秒の入力が可能になる。なお、ユーザは、入力キー９０６によって分：秒を入力し、入力結果を設定キー９０３によって設定する。なお、「撮影画像」１１０３で静止画が設定された場合や、「動画像撮影終了条件」１１０４でセンサオフが設定された場合は、直ちに「メール配信先」１１０６が表示される。
【００３８】
「メール配信先」１１０６で個別設定が設定されると、「メール配信先個別設定」１１０７が表示され、メール配信先を個別に設定するための入力画面が表示される。ユーザは、入力キー９０６によってメール配信先のメールアドレスを入力し、入力結果を設定キー９０３によって設定する。なお、メール配信先は複数設定することができるので、メールアドレスを入力する前に、ユーザが設定キー９０３を押すまで「センサ撮影設定」１１０７の入力画面が繰り返し表示される。
【００３９】
「メール配信先」１１０６でメール配信設定の配信先またはマスタアドレスが設定された場合、あるいは、「メール配信先個別設定」１１０７が終了した場合、センサ撮影設定は終了する。詳細は省略するが、手動撮影設定、時刻撮影設定、メール配信設定およびアップロード設定についても、図１１と同様の設定画面を表示することで、設定値を入力することが可能である。
【００４０】
［動作アルゴリズム］
図１２から図１９は撮像装置の動作アルゴリズムを示すフローチャートで、撮像装置の電源がオンになった後に制御部２０５によって実行される処理である。
【００４１】
まず、画像を撮影するか否かを判別し（Ｓ１２０１）、撮影しない場合はステップＳ１２０１を繰り返す。
【００４２】
図１３は画像を撮影するか否かの判別（Ｓ１２０１）の詳細を示すフローチャートである。まず、撮影キー９０５が押されたか否かを判別し（Ｓ１３０１）、撮影キー９０５が押された場合は画像を撮影すると判別する（Ｓ１３０４）。
【００４３】
撮影キー９０５が押されていない場合は、「時刻撮影設定」を参照して、自動撮影条件が定時刻または一定間隔に設定され、かつ、定時刻の場合は撮影時刻に設定された時刻になったか否かを判別し、また、一定間隔の場合は撮影間隔に設定された時間が経過したか否かを判別する（Ｓ１３０２）。上記の何れかの条件が成立すれば画像を撮影すると判別する（Ｓ１３０４）。
【００４４】
自動撮影条件がなしに設定されている場合、あるいは、撮影タイミングではない場合、「センサ撮影設定」を参照して、設定があり、かつ、センサ入力部２０３に接続されたセンサがオンか否かを判別する（Ｓ１３０３）。上記の条件が成立すれば画像を撮影すると判別する（Ｓ１３０４）。また、上記の条件が成立しなければ画像を撮影しないと判別する（Ｓ１３０５）。
【００４５】
図１２に戻り、画像を撮影すると判別した場合、撮影する画像が静止画か動画かを判別する（Ｓ１２０２）。つまり、「手動撮影設定」「時刻撮影設定」または「センサ撮影設定」を参照して、撮影画像に静止画が設定されているか動画が設定されているかを判別する。そして、静止画の場合は静止画像を撮影し（Ｓ１２０３）、動画の場合は動画像が撮影される（Ｓ１２０４）。
【００４６】
図１４は動画像撮影（Ｓ１２０４）の詳細を示すフローチャートである。
【００４７】
動画像の撮影が開始されると（Ｓ１４０１）、撮影キー９０５が押されて手動による動画像の撮影が開始されたか否かを判別し（Ｓ１４０２）、手動による動画像の撮影が開始された場合は、再び、撮影キー９０５が押されるのを待つ（Ｓ１４０５）。撮影キー９０５が押されると、動画像の撮影を終了する（Ｓ１４０９）。
【００４８】
手動による動画像の撮影でなければ、「時刻撮影設定」の自動撮影条件が成立して動画像の撮影が開始されたか否かを判別し（Ｓ１４０３）、そうであれば「時刻撮影設定」の動画像撮影終了条件として設定された時間が経過するのを待ち（Ｓ１４０６）、時間が経過すると、動画像の撮影を終了する（Ｓ１４０９）。
【００４９】
上記の自動撮影条件の成立以外の理由で動画像の撮影が開始された場合は、「センサ撮影設定」の動画像撮影終了条件として時間経過が設定されているか否かを判別し（Ｓ１４０４）、そうであれば「センサ撮影設定」の動画像撮影終了条件として設定された時間が経過するのを待ち（Ｓ１４０７）、時間が経過すると、動画像の撮影を終了する（Ｓ１４０９）。また、「センサ撮影設定」の動画像撮影終了条件としてセンサオフが設定されている場合は、センサ入力部２０３に接続されたセンサがオフになるのを待ち（Ｓ１４０８）、センサがオフになると、動画像の撮影を終了する（Ｓ１４０９）。
【００５０】
再び、図１２に戻り、画像の撮影が終了した後、撮影画像をアップロードするか否かを判別する（Ｓ１２０５）。つまり、「手動撮影設定」「時刻撮影設定」または「センサ撮影設定」を参照して、動作がアップロードに設定されているか否かを判別し、アップロードの場合は撮影画像をアップロード用画像として画像記憶部２０７へ保存し（Ｓ１２０７）、通信部２０９の通信機能が有効で画像送信が可能か否かを判別し（Ｓ１２１０）、可能であれば「アップロード設定」の設定値に従い、ファイル転送サーバ５にログインし撮影画像をアップロードし（Ｓ１２１２）、その後処理をステップＳ１２０１へ戻す。なお、通信部２０９の通信機能が無効で画像送信が不可能な場合は、撮影画像をアップロードすることなく、処理をステップＳ１２０１へ戻すが、画像記憶部２０７に保存したアップロード用画像に未アップロードの情報を付加する。
【００５１】
「手動撮影設定」「時刻撮影設定」または「センサ撮影設定」の動作がアップロードに設定されていない場合は、動作がメール配信に設定されているか否かを判別し（Ｓ１２０６）、メール配信の場合は撮影画像をメール配信用画像として画像記憶部２０７へ保存し（Ｓ１２０８）、通信部２０９の通信機能が有効で画像送信が可能か否かを判別し（Ｓ１２１１）、可能であれば「メール配信先」および「メール配信設定」の設定値に従い、撮影画像をメール配信し（Ｓ１２１３）、その後処理をステップＳ１２０１へ戻す。なお、通信部２０９の通信機能が無効で画像送信が不可能な場合は、撮影画像をメール送信することなく、処理をステップＳ１２０１へ戻すが、画像記憶部２０７に保存したメール配信用画像に未送信の情報を付加する。
【００５２】
また、「手動撮影設定」「時刻撮影設定」または「センサ撮影設定」の動作が撮影（メモリ保存）のみに設定されている場合は、撮影画像を画像記憶部２０７へ保存し（Ｓ１２０９）、その後処理をステップＳ１２０１へ戻す。
【００５３】
［送信画像の保存］
図１５は画像記憶部２０７の撮影画像を格納する領域を説明する図で、画像記憶部２０７が撮像装置の内蔵メモリとして構成された場合の例である。メモリは複数の領域に分割され、アップロード静止画像の格納領域１５０１、アップロード動画像の格納領域１５０２、マスタアドレスへ送るメール静止画像の格納領域１５０３、マスタアドレスへ送るメール動画像の格納領域１５０４、マスタアドレス以外へ送るメール静止画像の格納領域１５０５、マスタアドレス以外へ送るメール動画像の格納領域１５０６、撮影のみ（非アップロードかつ非メール送信）の静止画像の格納領域１５０７、および、撮影のみの動画像の格納領域１５０８などが割り当てられる。
【００５４】
図１６は画像記憶部２０７の撮影画像を格納する領域を説明する図で、画像記憶部２０７がメモリカードとしてとして構成された場合の例である。メモリカードは複数の領域に分割され、アップロード静止画像の格納領域１６０１、アップロード動画像の格納領域１６０２、マスタアドレスへ送るメール静止画像の格納領域１６０３、マスタアドレスへ送るメール動画像の格納領域１６０４、マスタアドレス以外へ送るメール静止画像の格納領域１６０５、マスタアドレス以外へ送るメール動画像の格納領域１６０６、撮影のみの静止画像の格納領域１６０７、および、撮影のみの動画像の格納領域１６０８などが割り当てられる。
【００５５】
図１７はアップロード用画像を保存する処理（Ｓ１２０７）の詳細を説明するフローチャートである。
【００５６】
まず、撮影画像が静止画像か否かを判別し（Ｓ１７０１）、静止画像の場合は送信画像を保存するか否かを判別し（Ｓ１７０２）、送信画像を保存する場合はアップロード静止画像の格納領域１５０１または１６０１へ撮影画像を保存し（Ｓ１７０４）、保存しない場合は処理を終了する。また、動画像の場合は送信画像を保存するか否かを判別し（Ｓ１７０３）、送信画像を保存する場合はアップロード動画像の格納領域１５０２または１６０２へ撮影画像を保存し（Ｓ１７０５）、保存しない場合は処理を終了する。
【００５７】
図１８はメール送信用画像を保存する処理（Ｓ１２０８）の詳細を説明するフローチャートである。
【００５８】
まず、メールの送信先がマスタアドレスか否かを判別し（Ｓ１８０１）、マスタアドレスの場合は、撮影画像が静止画像か否かを判別し（Ｓ１８０２）、静止画像であれば送信画像を保存するか否かを判別し（Ｓ１８０４）、保存する場合はマスタアドレスへ送るメール静止画像の格納領域１５０３または１６０３へ撮影画像を保存する（Ｓ１８０８）。また、動画像の場合は送信画像を保存するか否かを判別し（Ｓ１８０５）、保存する場合はマスタアドレスへ送るメール動画像の格納領域１５０４または１６０４へ撮影画像を保存する（Ｓ１８０９）。また、保存しない場合は処理を終了する。
【００５９】
メールの送信先がマスタアドレス以外の場合は、撮影画像が静止画像か否かを判別し（Ｓ１８０３）、静止画像であれば送信画像を保存するか否かを判別し（Ｓ１８０６）、保存する場合はマスタアドレス以外へ送るメール静止画像の格納領域１５０５または１６０５へ撮影画像を保存する（Ｓ１８１０）。また、動画像の場合は送信画像を保存するか否かを判別し（Ｓ１８０７）、保存する場合はマスタアドレス以外へ送るメール動画像の格納領域１５０６または１６０６へ撮影画像を保存する（Ｓ１８１１）。また、保存しない場合は処理を終了する。
【００６０】
図１９は撮影のみの画像を保存する処理（Ｓ１２０９）を示すフローチャートである。
【００６１】
撮影画像が静止画像か否かを判別し（Ｓ１９０１）、静止画像であれば画像を保存するか否かを判別し（Ｓ１９０２）、保存する場合は撮影のみの静止画像の格納領域１５０７または１６０７へ撮影画像を保存する（Ｓ１９０４）。また、動画像であれば画像を保存するか否を判別し（Ｓ１９０３）、保存する場合は撮影のみの動画像の格納領域１５０８または１６０８へ撮影画像を存する（Ｓ１９０５）。また、保存しない場合は処理を終了する。
【００６２】
図２０は画像を保存するか否かの判断を示すフローチャートで、ステップＳ１７０２、Ｓ１７０３、Ｓ１８０４、Ｓ１８０５、Ｓ１８０６、Ｓ１８０７、Ｓ１９０２およびＳ１９０３の処理に相当する。
【００６３】
画像記憶部２０７にメモリが装着されているか否かを判別し（Ｓ２００１）、装着されていれば画像を保存すると判断する（Ｓ２００２）。画像記憶部２０７が内蔵メモリであれば必ず装着されていると判断されるが、画像記憶部２０７がメモリカードの場合は未装着の場合もあり、その場合は、画像を保存しないと判断する（Ｓ２００３）。
【００６４】
このように、メモリに保存された撮影画像が、どのサービスを使用して送信されたものか、あるいは、撮影されただけで送信されていない画像かは、その画像がメモリに割り当てられた領域の何処に格納されているかで容易に判断することができる。従って、例えば、サーバへアップロードした撮影画像を編集・削除し、メールに添付して送信した撮影画像は原画像を編集・削除せずに残しておく、というようなサービス機能ごとに撮影画像を操作することが可能になる。
【００６５】
【第２実施形態】
以下、本発明にかかる第２実施形態の通信機能付き撮像装置を説明する。なお、第２実施形態において、第１実施形態と略同様の構成については、同一符号を付して、その詳細説明を省略する。
【００６６】
図２１は画像記憶部２０７が物理的に複数の内蔵メモリから構成された例を示す図である。つまり、アップロード静止画像の格納メモリ２１０１、アップロード動画像の格納メモリ２１０２、マスタアドレスへ送るメール静止画像の格納メモリ２１０３、マスタアドレスへ送るメール動画像の格納メモリ２１０４、マスタアドレス以外へ送るメール静止画像の格納メモリ２１０５、マスタアドレス以外へ送るメール動画像の格納メモリ２１０６、撮影のみの静止画像の格納メモリ２１０７、および、撮影のみの動画像の格納メモリ２１０８などから構成される。ステップＳ１７０４、Ｓ１７０５、Ｓ１８０８、Ｓ１８０９、Ｓ１８１０、Ｓ１８１１、Ｓ１９０４およびＳ１９０５の処理は、それぞれ対応するメモリに撮影画像を保存することになる。
【００６７】
図２２は画像記憶部２０７が複数のメモリカードから構成された例を示す図である。つまり、アップロード静止画像の格納メモリカード２２０１、アップロード動画像の格納メモリカード２２０２、マスタアドレスへ送るメール静止画像の格納メモリカード２２０３、マスタアドレスへ送るメール動画像の格納メモリカード２２０４、マスタアドレス以外へ送るメール静止画像の格納メモリカード２２０５、マスタアドレス以外へ送るメール動画像の格納メモリカード２２０６、撮影のみの静止画像の格納メモリカード２２０７、および、撮影のみの動画像の格納メモリカード２２０８などから構成される。ステップＳ１７０４、Ｓ１７０５、Ｓ１８０８、Ｓ１８０９、Ｓ１８１０、Ｓ１８１１、Ｓ１９０４およびＳ１９０５は、それぞれ対応するメモリカードへ保存することになる。
【００６８】
【第３実施形態】
以下、本発明にかかる第３実施形態の通信機能付き撮像装置を説明する。なお、第３実施形態において、第１実施形態と略同様の構成については、同一符号を付して、その詳細説明を省略する。
【００６９】
図２３から図２５は第３実施形態の撮像装置が撮影画像を保存する保存先を設定する設定データを示す図である。
【００７０】
図２３に示す「アップロード用静止画像保存設定」および「アップロード用動画像保存設定」の設定項目として「保存設定」「保存先」などがある。「保存設定」の設定値には（保存する｜センサの場合のみ保存する｜保存しない）の何れかが設定される。「保存先」の設定値には、画像記憶部２０７へ撮影画像をファイルとして保存する場合のパス名を表す文字列が設定される。
【００７１】
図２４に示す「マスタアドレスへのメール配信用静止画像保存設定」「マスタアドレスへのメール配信用動画像保存設定」「マスタアドレス以外へのメール配信用静止画像保存設定」および「マスタアドレス以外へのメール配信用動画像保存設定」の設定項目として「保存設定」「保存先」などがある。「保存設定」の設定値には（保存する｜センサの場合のみ保存する｜保存しない）の何れかが設定される。「保存先」の設定値には、画像記憶部２０７へ撮影画像をファイルとして保存するときのパス名を表す文字列が設定される。
【００７２】
図２５に示す「撮影のみの静止画像保存設定」および「撮影のみの動画像保存設定」の設定項目としては「保存設定」「保存先」などがある。「保存設定」の設定値には（保存する｜センサの場合のみ保存する｜保存しない）の何れかが設定される。「保存先」の設定値には、画像記憶部２０７へ撮影画像をファイルとして保存するときのパス名を表す文字列が設定される。
【００７３】
第３実施形態の撮像装置のアップロード用画像を保存する処理（Ｓ１２０７）は、「アップロード用静止画像保存設定」または「アップロード用動画像保存設定」の保存先に設定されたパス名で参照されるディレクトリへ撮影画像を保存することになる（図１７のＳ１７０４、Ｓ１７０５参照）。
【００７４】
また、メール送信用画像を保存する処理（Ｓ１２０８）は、「マスタアドレスへのメール配信用静止画像保存設定」「マスタアドレスへのメール配信用動画像保存設定」「マスタアドレス以外へのメール配信用静止画像保存設定」または「マスタアドレス以外へのメール配信用動画像保存設定」の保存先に設定されたパス名で参照されるディレクトリへ撮影画像を保存することになる（図１８のＳ１８０８−Ｓ１８１１参照）。
【００７５】
また、撮影のみの画像を保存する処理（Ｓ１２０９）は、「撮影のみの静止画像保存設定」または「撮影のみの動画像保存設定」の保存先に設定されたパス名で参照されるディレクトリへ撮影画像を保存することになる（図１９のＳ１９０４、Ｓ１９０５参照）。
【００７６】
図２６は第３実施形態における画像を保存するか否かの判断を示すフローチャートで、ステップＳ１７０２、Ｓ１７０３、Ｓ１８０４、Ｓ１８０５、Ｓ１８０６、Ｓ１８０７、Ｓ１９０２およびＳ１９０３の処理に相当する。
【００７７】
ステップＳ１７０２では「アップロード用静止画像保存設定」を、ステップＳ１７０３では「アップロード用動画像保存設定」を、ステップＳ１８０４では「マスタアドレスへのメール配信用静止画像保存設定」を、ステップＳ１８０５では「マスタアドレスへのメール配信用動画像保存設定」を、ステップＳ１８０６では「マスタアドレス以外へのメール配信用静止画像保存設定」を、ステップＳ１８０７では「マスタアドレス以外へのメール配信用動画像保存設定」を、ステップＳ１９０２では「撮影のみの静止画像保存設定」を、ステップＳ１９０３では「撮影のみの動画像保存設定」をそれぞれ参照して、画像記憶部２０７に対応するメモリまたはメモリカードが装着されているか否かを判別し（Ｓ２６０１）、装着されていれば画像を保存すると判断する。画像記憶部２０７が内蔵メモリであれば必ず装着されていると判断されるが、画像記憶部２０７がメモリカードの場合は未装着の場合もあり、その場合は、画像を保存しないと判断する（Ｓ２６０６）。
【００７８】
次に、撮影キー９０５によって手動撮影が行われたか否かを判別し（Ｓ２６０２）、手動撮影でなければ、「時刻撮影設定」に従う撮影が行われたか否かを判別する（Ｓ２６０４）。手動撮影または時刻撮影された場合は、「保存設定」の設定を保存するか否かを判別し（Ｓ２６０３）、保存するが設定されている場合は画像を保存すると判断する（Ｓ２６０７）。
【００７９】
また、手動撮影および時刻撮影ではない場合は、「保存設定」の設定を保存しないか否かを判別し（Ｓ２６０５）、保存しないが設定されている場合は画像を保存しないと判断し（Ｓ２６０８）、そうでなければ（つまり保存するまたはセンサの場合のみ保存するが設定されている）場合は画像を保存すると判断する（Ｓ２６０７）。
【００８０】
【第４実施形態】
以下、本発明にかかる第４実施形態の通信機能付き撮像装置を説明する。なお、第４実施形態において、第１実施形態と略同様の構成については、同一符号を付して、その詳細説明を省略する。
【００８１】
図２７は第４実施形態の撮像装置のメール送信用画像を保存する処理（Ｓ１２０８）を示すフローチャートである。
【００８２】
メールの送信先にマスタアドレスを含むか否かを判別し（Ｓ２７０１）、マスタアドレスを含む場合は撮影画像が静止画像か否かを判別し（Ｓ２７０２）、静止画像であれば送信画像を保存するか否かを判別し（Ｓ２７０４）、保存する場合は「マスタアドレスへのメール配信用静止画像保存設定」の保存先に設定されたパス名を参照して撮影画像を保存する（Ｓ２７０８）。さらに、詳細は後述するが、保存した静止画像へのリンクを保存する（Ｓ２７１２）。また、動画像の場合は、送信画像を保存するか否かを判別し（Ｓ２７０５）、保存する場合は、「マスタアドレスへのメール配信用動画像保存設定」の保存先に設定されたパス名を参照して撮影画像を保存する（Ｓ２７０９）。さらに、詳細は後述するが、保存した動画像へのリンクを保存する（Ｓ２７１３）。また、保存しない場合は処理を終了する。
【００８３】
一方、マスタアドレスを含まない場合は撮影画像が静止画像か否かを判別し（Ｓ２７０３）、静止画像であれば送信画像を保存するか否かを判別し（Ｓ２７０６）、保存する場合は「マスタアドレス以外へのメール配信用静止画像保存設定」の保存先に設定されたパス名を参照して撮影画像を保存する（Ｓ２７１０）。また、動画像の場合は、送信画像を保存するか否かを判別し（Ｓ２７０７）、保存する場合は、「マスタアドレス以外へのメール配信用動画像保存設定」の保存先に設定されたパス名を参照して撮影画像を保存する（Ｓ２７１１）。また、保存しない場合は処理を終了する。
【００８４】
図２８は静止画像へのリンクを保存する処理（Ｓ２７１２）の詳細を示すフローチャートである。
【００８５】
メールの送信先にマスタアドレス以外のアドレスが含まれるか否かを判別し（Ｓ２８０１）、マスタアドレス以外のアドレスが含まれない場合は処理を終了し、含まれる場合は「マスタアドレス以外へのメール配信用静止画像保存設定」の保存先に設定されたパス名が表すディレクトリへ保存した静止画像へのリンクを保存する（Ｓ２８０２）。
【００８６】
図２９は動画像へのリンクを保存する処理（Ｓ２７１３）の詳細を示すフローチャートである。
【００８７】
メールの送信先にマスタアドレス以外のアドレスが含まれるか否かを判別し（Ｓ２９０１）、マスタアドレス以外のアドレスが含まれない場合は処理を終了し、含まれる場合は「マスタアドレス以外へのメール配信用動画像保存設定」の保存先に設定されたパス名が表すディレクトリへ保存した動画像へのリンクを保存する（Ｓ２９０２）。
【００８８】
【変形例】
以上説明した各実施形態において、撮像装置に設定される設定項目は、上記に限らず、例えば、画像撮影のトリガとして、撮像部２０２にマイクなどによる音声入力機能を追加して音が入力されると画像を撮影する設定、通信部２０９に着信があると画像を撮影する設定などを追加してもよい。
【００８９】
また、図１０および１１に示す設定データの設定画面は一例であり、各設定データに設定値を設定することができればどのような設定画面でもよい。勿論、設定データの設定が、撮像装置のユーザインタフェイスによって行われるとは限らず、例えば、パーソナルコンピュータ（ＰＣ）などの情報機器に設定データを設定するためのソフトウェアをインストールしてユーザが設定してもよいし、情報機器と撮像装置とを接続して入力済みの設定データを転送する方法でもよい。その場合、その情報機器と撮像装置とは、汎用のシリアルインタフェイス（例えばＲＳ２３２ＣやＲＳ４２２）、シリアルバス（ＵＳＢ、ＩＥＥＥ１３９４）、パラレルインタフェイス（ＳＣＳＩ、ＧＰＩＢ、ＩＥＥＥ１２８４）、無線通信（Ｂｌｕｅｔｏｏｔｈ、無線ＬＡＮ）、有線ＬＡＮなどの通信インタフェイスにより、情報機器同士を接続すればよい。
【００９０】
さらに、インターネット上のウェブサイトに設定データを設定するためのサービスを実装し、ユーザがブラウザを使用して設定値を入力し、ウェブサイトから撮像装置へ入力された設定データをダウンロードすることもできる。
【００９１】
［他の実施例］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００９２】
また、本発明の目的は、前述した実施例の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施例の機能を実現することになり、そのプログラムコードを記憶した記憶媒体は本発明を構成することになる。また、コンピュータが読み出したプログラムコードを実行することにより、前述した実施例￥の機能が実現されるだけでなく、そのプログラムコードの指示に基づき、コンピュータ上で稼働しているオペレーティングシステム（ＯＳ）などが実際の処理の一部または全部を行い、その処理によって前述した実施例の機能が実現される場合も含まれることは言うまでもない。
【００９３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施例の機能が実現される場合も含まれることは言うまでもない。
【００９４】
本発明を上記記憶媒体に適用する場合、その記憶媒体には、先に説明したフローチャートに対応するプログラムコードが格納されることになる。
【００９５】
【発明の効果】
以上説明したように、本発明によれば、撮影画像の送信状態がわかるようにすることができる。
【図面の簡単な説明】
【図１】通信機能付き雲台に相当するクレードル、および、クレードルに接続するカメラユニットによって構成される撮像装置を使用する通信システムの構成例を示すブロック図、
【図２】通信機能付き雲台に相当するクレードルと、クレードルに接続するカメラユニットにより構成される撮像装置の機能構成例を示すブロック図、
【図３】画像記憶部の構成例を示すブロック図、
【図４】通信部の構成例を示すブロック図、
【図５】設定記憶部に記憶される設定データの例を示す図、
【図６】設定記憶部に記憶される設定データの例を示す図、
【図７】設定記憶部に記憶される設定データの例を示す図、
【図８】設定記憶部に記憶される設定データの例を示す図、
【図９】撮像装置のユーザインタフェイスの一例を示す図、
【図１０】ユーザインタフェイスによって設定データの設定値を入力する際の表示部の表示例を示す図、
【図１１】ユーザインタフェイスによって設定データであるセンサ撮影設定の設定値を入力する際の表示部の表示例を示す図、
【図１２】撮像装置の動作アルゴリズムを示すフローチャート、
【図１３】画像を撮影するか否かの判別の詳細を示すフローチャート、
【図１４】動画像撮影の詳細を示すフローチャート、
【図１５】画像記憶部の撮影画像を格納する領域を説明する図、
【図１６】画像記憶部の撮影画像を格納する領域を説明する図、
【図１７】アップロード用画像を保存する処理の詳細を説明するフローチャート、
【図１８】メール送信用画像を保存する処理の詳細を説明するフローチャート、
【図１９】撮影のみの画像を保存する処理を示すフローチャート、
【図２０】画像を保存するか否かの判断を示すフローチャート、
【図２１】第２実施形態の、画像記憶部が物理的に複数の内蔵メモリから構成された例を示す図、
【図２２】画像記憶部が複数のメモリカードから構成された例を示す図、
【図２３】第３実施形態の、撮像装置が撮影画像を保存する保存先を設定する設定データを示す図、
【図２４】撮像装置が撮影画像を保存する保存先を設定する設定データを示す図、
【図２５】撮像装置が撮影画像を保存する保存先を設定する設定データを示す図、
【図２６】画像を保存するか否かの判断を示すフローチャート、
【図２７】第４実施形態の、撮像装置のメール送信用画像を保存する処理を示すフローチャート、
【図２８】静止画像へのリンクを保存する処理の詳細を示すフローチャート、
【図２９】動画像へのリンクを保存する処理の詳細を示すフローチャートである。
【図１】
2005045397.tif 000003
【図２】
2005045397.tif 000004
【図３】
2005045397.tif 000005
【図４】
2005045397.tif 000006
【図５】
2005045397.tif 000007
【図６】
2005045397.tif 000008
【図７】
2005045397.tif 000009
【図８】
2005045397.tif 000010
【図９】
2005045397.tif 000011
【図１０】
2005045397.tif 000012
【図１１】
2005045397.tif 000013
【図１２】
2005045397.tif 000014
【図１３】
2005045397.tif 000015
【図１４】
2005045397.tif 000016
【図１５】
2005045397.tif 000017
【図１６】
2005045397.tif 000018
【図１７】
2005045397.tif 000019
【図１８】
2005045397.tif 000020
【図１９】
2005045397.tif 000021
【図２０】
2005045397.tif 000022
【図２１】
2005045397.tif 000023
【図２２】
2005045397.tif 000024
【図２３】
2005045397.tif 000025
【図２４】
2005045397.tif 000026
【図２５】
2005045397.tif 000027
【図２６】
2005045397.tif 000028
【図２７】
2005045397.tif 000029
【図２８】
2005045397.tif 000030
【図２９】
2005045397.tif 000031